(57)【要約】【課題】誤操作を防止する。【解決手段】操作装置は、画面に表示するべき画像を示す画像情報を生成する情報生成部と、生成された画像情報に基づき、画像を表示するように画面を制御する表示制御部と、を備える。画像は、それぞれが変更可能な値を示す複数の項目画像（２３、２４）と、各項目画像に対応して、当該項目画像の値を変更するために操作される操作部画像（２７、２８）と、を含む。情報生成部は、同一の画面において、複数の項目画像が並べて表示され、且つ外部の視点から見た場合に、当該並びにおける各項目画像に対し当該項目画像の操作部画像が配置される側が、隣り合う項目画像どうしで異なるように画像を表示するための画像情報を生成する。【選択図】図４
2016118872.tif 000002
【特許請求の範囲】
【請求項１】
画面に表示するべき画像を示す画像情報を生成する情報生成部と、
生成された前記画像情報に基づき、前記画像を表示するように前記画面を制御する表示制御部と、を備え、
前記画像は、
それぞれが変更可能な値を示す複数の項目画像と、
各前記項目画像に対応して、当該項目画像の値を変更するために操作される操作部画像と、を含み、
前記情報生成部は、
同一の前記画面において、前記複数の項目画像が並べて表示され、且つ外部の視点から見た場合に、当該並びにおける各前記項目画像に対し当該項目画像の前記操作部画像が配置される側が、隣り合う項目画像どうしで異なるように画像を表示するための前記画像情報を生成する、操作装置。
【請求項２】
前記複数の項目画像は、第１項目画像と第２項目画像とを含み、
前記各項目画像に対応する操作部画像は、前記第１項目画像に対応する第１操作部画像と、前記第２項目画像に対応する第２操作部画像とを含み、
前記情報生成部は、
同一の前記画面において、第１および第２項目画像が水平方向に並べて表示され、且つ前記視点から見た前記第１項目画像の右側に前記第１操作部画像が配置され、当該視点から見た前記第２項目画像の左側に前記第２操作部画像が配置された画像を表示するための前記画像情報を生成する、請求項１に記載の操作装置。
【請求項３】
前記複数の項目画像は、さらに、第３項目画像を含み、
前記各項目画像に対応する操作部画像は、さらに、前記第３項目画像に対応する第３操作部画像を含み、
前記情報生成部は、
前記第３項目画像が、前記水平方向の並びにおいて、前記第１項目画像と前記第２項目画像の間に配置され、且つ前記視点から見た前記第３項目画像の上側または下側に前記第３操作部画像が配置された画像を表示するための前記画像情報を生成する、請求項２に記載の操作装置。
【請求項４】
前記複数の項目画像は、第１項目画像と第２項目画像とを含み、
前記各項目画像に対応する操作部画像は、前記第１項目画像に対応する第１操作部画像と、前記第２項目画像に対応する第２操作部画像とを含み、
前記情報生成部は、
同一の前記画面において、第１および第２項目画像が垂直方向に並べて表示され、且つ外部の視点から見た前記第１項目画像の上側に前記第１操作部画像が配置され、当該視点から見た前記第２項目画像の下側に前記第２操作部画像が配置された画像を表示するための前記画像情報を生成する、請求項１に記載の操作装置。
【請求項５】
前記複数の項目画像は、さらに、第３項目画像を含み、
前記各項目画像に対応する操作部画像は、さらに、前記第３項目画像に対応する第３操作部画像を含み、
前記情報生成部は、
前記第３項目画像が、前記垂直方向の並びにおいて、前記第１項目画像と前記第２項目画像の間に配置され、且つ前記視点から見た前記第３項目画像の右側または左側に前記第３操作部画像が配置された画像を表示するための前記画像情報を生成する、請求項４に記載の操作装置。
【請求項６】
請求項１から５のいずれか１項に記載の操作装置を備える給湯装置。
【請求項７】
前記変更可能な値は、前記給湯装置の制御に関する値を含む、請求項６に記載の給湯装置。
【発明の詳細な説明】
【技術分野】
【０００１】
この発明は操作装置およびそれを備える給湯装置に関し、特に、画面に操作のための画像を表示する操作装置およびそれを備える給湯装置に関する。
【背景技術】
【０００２】
給湯器により浴槽に湯張りする場合に、ユーザは、リモートコントローラ（以下、リモコンと称す）の画面を操作することにより、目標の湯量および温度を設定することができる。このような給湯器のリモコンが、例えば、特許文献１（特開２００４−３６９１６号公報）および特許文献２（特開２００５−１２１３１４号公報）に開示される。特許文献１のリモコン装置では、設定変更モードの画面（図７参照）で水位変更モードが選択されると水位設定用画面（図８参照）に切替わり、また温度変更モードが選択されると図８とは異なる温度設定用画面に切替わる。したがって、ユーザはこれら設定をする場合に画面の切替え操作をする必要があった。これに対して、特許文献２では、風呂の温度と湯量を設定するための画面は同じであるので、ユーザは画面の切替え操作をする必要がない。
【先行技術文献】
【特許文献】
【０００３】
【特許文献１】特開２００４−３６９１６号公報（図７と図８）
【特許文献２】特開２００５−１２１３１４号公報（図５）
【発明の概要】
【発明が解決しようとする課題】
【０００４】
しかしながら、特許文献２では、同一画面において湯量と温度の値が画面の横方向に隣り合って並んで表示され、且つ各値について同一の側（すなわち画面に向かって右側）に当該値を変更するために操作される設定値変更手段が表示される。その結果、温度の設定値変更手段が湯量値の左側に接近して表示されて、湯量値の左右両側に設定値変更手段が配置されることになる。
【０００５】
このような表示の場合、ユーザは、湯量を変更したいときに湯量値の左右どちら側の設定値変更手段を操作するべきかがわかりにくく、また誤操作されるおそれもあった。
【０００６】
それゆえに、本発明の目的は、誤操作を防止することができる操作装置およびそれを備える給湯装置を提供することである。
【課題を解決するための手段】
【０００７】
この発明のある局面に従う操作装置は、画面に表示するべき画像を示す画像情報を生成する情報生成部と、生成された画像情報に基づき、画像を表示するように画面を制御する表示制御部と、を備える。
【０００８】
画像は、それぞれが変更可能な値を示す複数の項目画像と、各項目画像に対応して、当該項目画像の値を変更するために操作される操作部画像と、を含む。情報生成部は、同一の画面において、複数の項目画像が並べて表示され、且つ外部の視点から見た場合に、当該並びにおける各項目画像に対し当該項目画像の操作部画像が配置される側が、隣り合う項目画像どうしで異なるように画像を表示するための画像情報を生成する。
【０００９】
好ましくは、複数の項目画像は、第１項目画像と第２項目画像とを含み、各項目画像に対応する操作部画像は、第１項目画像に対応する第１操作部画像と、第２項目画像に対応する第２操作部画像とを含む。情報生成部は、同一の画面において、第１および第２項目画像が水平方向に並べて表示され、且つ上記の視点から見た第１項目画像の右側に第１操作部画像が配置され、当該視点から見た第２項目画像の左側に第２操作部画像が配置された画像を表示するための画像情報を生成する。
【００１０】
好ましくは、複数の項目画像は、さらに、第３項目画像を含み、各項目画像に対応する操作部画像は、さらに、第３項目画像に対応する第３操作部画像を含む。情報生成部は、第３項目画像が、水平方向の並びにおいて、第１項目画像と第２項目画像の間に配置され、且つ上記の視点から見た第３項目画像の上側または下側に第３操作部画像が配置された画像を表示するための画像情報を生成する。
【００１１】
好ましくは、複数の項目画像は、第１項目画像と第２項目画像とを含み、各項目画像に対応する操作部画像は、第１項目画像に対応する第１操作部画像と、第２項目画像に対応する第２操作部画像とを含む。情報生成部は、同一の画面において、第１および第２項目画像が垂直方向に並べて表示され、且つ外部の視点から見た第１項目画像の上側に第１操作部画像が配置され、当該視点から見た第２項目画像の下側に第２操作部画像が配置された画像を表示するための画像情報を生成する。
【００１２】
好ましくは、複数の項目画像は、さらに、第３項目画像を含み、各項目画像に対応する操作部画像は、さらに、第３項目画像に対応する第３操作部画像を含み、情報生成部は、第３項目画像が、垂直方向の並びにおいて、第１項目画像と第２項目画像の間に配置され、且つ上記の視点から見た第３項目画像の右側または左側に第３操作部画像が配置された画像を表示するための画像情報を生成する。
【００１３】
この発明の他の局面に従うと、上記の操作装置を備える給湯装置が提供される。上記の変更可能な値は、給湯装置の制御に関する値を含む。
【発明の効果】
【００１４】
本発明によれば、同一の画面において、複数の項目画像が並べて表示され、且つ外部の視点から見た場合に、当該並びにおける各項目画像に対し当該項目画像の操作部画像が配置される側が、隣り合う項目画像どうしで異なるように画像が表示されて、各項目画像の値を変更するために操作すべき操作部画像は識別しやすくなり、誤操作を防止することができる。
【図面の簡単な説明】
【００１５】
【図１】本発明の実施形態に係る給湯装置の構成図である。
【図２】本発明の実施の形態に係るマイクロプロセッサの機能構成図である。
【図３】本発明の実施の形態に係る表示画像をユーザが確認する状態を模式的に示す図である。
【図４】本発明の実施の形態に係る液晶画面に表示される画像の一例を示す図である。
【図５】本発明の実施の形態に係る画像表示処理のフローチャートである。
【図６】本発明の実施の形態に係る表示画像の第１の変形例を示す図である。
【図７】本発明の実施の形態に係る表示画像の第２の変形例を示す図である。
【図８】本発明の実施の形態に係る表示画像の第３の変形例を示す図である。
【図９】本発明の実施の形態に係る表示画像の第４の変形例を示す図である。
【図１０】比較例の表示画像を示す図である。
【発明を実施するための形態】
【００１６】
本発明の実施の形態について図面を参照して詳細に説明する。なお、以下では、図中の同一または相当部分には同一符号を付して、その説明は原則的に繰返さないものとする。
【００１７】
本実施の形態では、画面の表示画像は、それぞれが変更可能な値を示す複数の項目画像と、各項目画像に対応して、当該項目画像の値を変更するために操作される操作部画像と、を含む。表示のための画像情報を生成する情報生成部は、同一画面において、複数の項目画像が並べて表示され、且つ外部の視点から見た場合に、当該並びにおける各項目画像に対し当該項目画像の操作部画像が配置される側が、隣り合う項目画像どうしで異なるように画像を表示するための画像情報を生成する。
【００１８】
これにより、同一画面に複数の項目画像が表示される場合でも、ユーザは、各項目画像について、その値を変更するために操作すべき対応の操作部画像を識別しやすくなり、誤操作を防止することができる。
【００１９】
図１は、本発明の実施形態に係る給湯装置の構成図である。図１を参照して、給湯装置は、コントローラ５を有した給湯器２、および給湯器２を遠隔操作するために屋内の壁面等に取付けられるリモコン（リモートコントローラの略）装置１を備える。リモコン装置１は、「操作装置」の実施例に相当する。給湯器２は、コントローラ５の制御により実施される各種の機能（給湯配管３への給湯機能、および風呂往き管４ａならびに風呂戻り管４ｂを介した浴槽４（風呂）の湯張りと追い焚きを行う機能等）を有する。給湯器２が備える機能はこれらに限定されない。なお、給湯器２のこれら機能は周知であるから、ここでは説明を繰返さない。
【００２０】
コントローラ５はリモコン装置１と有線または無線により通信する。コントローラ５は、リモコン装置１から送信された遠隔操作に係る制御信号または設定信号等を受信し、受信信号に基づき給湯器２を制御する。
【００２１】
リモコン装置１は、マイクロプロセッサ１０を備える。リモコン装置１は、さらに、マイクロプロセッサ１０に接続された記憶部１１、ユーザにより操作されるボタンおよびスイッチ等を含む入力操作部１２、液晶コントローラ１３、および通信インターフェース１５を備える。記憶部１１は、プログラムおよびデータを格納するための揮発性または不揮発性の各種メモリ（ＲＡＭ（Random Access Memory）およびＲＯＭ（Read Only Memory）等）を含む。通信インターフェース１５は、マイクロプロセッサ１０とコントローラ５との間の通信を行うための回路（モデム回路等）を含む。
【００２２】
液晶コントローラ１３は表示部１４を接続する。表示部１４は、画像を表示する液晶画面１８、および液晶画面１８上に載置される透明のタッチパネル１７を有する。タッチパネル１７は、たとえば抵抗膜方式によりパネル上の操作位置を検出する機能を有する。ユーザは、液晶画面１８に表示された画像をタッチパネル１７を介して操作（タッチ操作等）すると、タッチパネル１７により操作された位置が検出されて、検出位置を示す信号が出力される。なお、タッチパネル１７の位置検出方式は、抵抗膜方式に限定されず静電容量方式であってもよい。
【００２３】
液晶コントローラ１３は、液晶画面１８に表示されるべき画像を示す画像情報が格納される表示用メモリ１８ａを有する。表示用メモリ１８ａに格納される画像情報は、例えばビットマップデータに相当する。液晶コントローラ１３は、表示用メモリ１８ａのビットマップデータに基づき液晶画面１８をドットマトリックス方式に従い駆動する。これにより、液晶画面１８には、表示用メモリ１８ａの画像情報により示される画像が表示される。なお、液晶コントローラ１３は、「表示制御部」の一実施例に相当する。
【００２４】
図２は、本発明の実施の形態に係るマイクロプロセッサ１０の機能構成図である。マイクロプロセッサ１０は、液晶画面１８の画面上におけるユーザの操作内容を受付ける操作受付部１０ａ、および液晶画面１８に表示するべき画像を示す画像情報を生成し、生成された画像情報を表示用メモリ１８ａに格納する情報生成部１０ｂを有する。なお、画像情報はビットマップデータを示す。
【００２５】
図３は、本発明の実施の形態に係る表示画像をユーザが確認する状態を模式的に示す図である。ここでは、液晶画面１８の表示画像の上、下、左および右のそれぞれは、ユーザが液晶画面１８の画像を眺める位置に相当する視点１９から見て決定される。
【００２６】
また、液晶画面１８のドットマトリックスは、水平方向に延びるＸ軸と、当該Ｘ軸と直交するＹ軸（すなわち、垂直（鉛直）方向に延びる軸）により規定される２次元座標平面である。したがって、表示される画像も当該Ｘ軸およびＹ軸により規定される２次元平面の画像として規定することができる。
【００２７】
次に、画像の表示例を説明する。図４は、本発明の実施の形態に係る液晶画面１８に表示される画像の一例を示す図である。図４を参照して、表示画像は、浴槽４への湯張り制御のための目標値である湯の量と温度を示す項目画像２３および２４を含む。項目画像２３および２４は、それぞれ矩形領域内に表示されて、且つ水平方向に並んで表示される。また、当該表示画像は、項目画像２３および２４のそれぞれに関連付けて、その項目名を表す画像２３Ａおよび２４Ａのそれぞれ、ならびに対応の操作部画像２７および２８のそれぞれを含む。外部の視点１９から見た場合に、当該並びにおいて、操作部画像２８は項目画像２４の右側に配置され、且つ操作部画像２７は項目画像２３の左側に配置される。
【００２８】
また、当該表示画像は、項目画像２３に関連付けて当該項目画像２３が示す湯量の値をインジケータ状に表示するための棒グラフ２６、および当該項目画像２４が示す数値を収容するように表示される絵柄である浴槽マーク２５を含む。
【００２９】
項目画像２３が示す湯量値は変更可能な値であって、ユーザによって操作部画像２７が操作（タッチ操作等）されると当該値は増減される。同様に、項目画像２４が示す温度も変更可能な値であって、ユーザによって操作部画像２８が操作されると当該値は増減される。操作部画像２７と２８は、＋（プラス）マークのアイコンと−（マイナス）マークのアイコンとを含む。＋マークのアイコンが操作されると対応の項目画像の値は増加し、−マークのアイコンが操作されると対応の項目画像の値は減少する。ここでは、項目画像２４が示す温度の操作部画像２８については、温度を上げるための＋（プラス）マークは例えば赤色で表示され、温度を下げるための−（マイナス）マークは例えば青色で表示される。これにより、ユーザは温度を変更する場合に、その色から、いずれのアイコンを操作するべきかを直感的に判断することができる。
【００３０】
また、棒グラフ２６は、垂直方向に並んだ複数個の矩形状のピクトグラムを含む。項目画像２３が示す値に応じて点灯するピクトグラムの数が変化する。また、棒グラフ２６は、隣接する浴槽マーク２５が示す浴槽の深さ方向に延びるよう表示される。これにより、ユーザは、棒グラフ２６において点灯しているピクトグラムの数から、すなわち棒グラフ２６の点灯部が浴槽マーク２５の浴槽の底面からどれだけ延びているかを把握できて、浴槽４の水位がどれくらいになるかの目安を得ることができる。
【００３１】
また、図４では、液晶画面１８の表示画像をトップ画像（図示せず）に切替え表示するために操作されるアイコン２１と、直前に表示されていた画像に切替えるために操作されるアイコン２２も表示される。
【００３２】
このように、図４の画像を表示する場合に、情報生成部１０ｂは、同一の画面において、項目画像２３と２４を一方向（水平方向）に並べて表示し、且つ視点１９から見た場合に、当該並びにおいて各項目画像に対し当該項目画像に対応の操作部画像２７と２８が配置される側が、隣り合う項目画像どうしで異なるように画像を表示するための画像情報を生成する。
【００３３】
具体的には、項目画像２３と２４は４辺形の矩形表示領域内に表示されるが、各項目画像に対し対応の操作部画像２７と２８が配置される側の辺（４辺のうちのいずれかの辺）が、隣り合う項目画像どうしで異なるように表示される。
【００３４】
図５は、本発明の実施の形態に係る画像表示処理のフローチャートである。このフローチャートに従うプログラムは、予め記憶部１１に格納される。マイクロプロセッサ１０によって記憶部１１からプログラムが読出され、読出されたプログラムが実行されることにより、処理が実現される。
【００３５】
ここでは、説明を簡単にするために、液晶画面１８に図４の画像を表示中に、湯量または温度の変更操作がされる場合を説明する。まず、マイクロプロセッサ１０は、タッチパネル１７からの位置検出信号に基づき、ユーザによりタッチパネル１７の操作がされたか否かを判定する（ステップＳ３）。操作がされないと判定すると（ステップＳ３でＮＯ）、ステップＳ３の処理を繰返す。
【００３６】
操作がされたと判定すると（ステップＳ３でＹＥＳ）、操作受付部１０ａは、タッチパネル１７からの位置検出信号に基づきユーザの操作内容を取得する。
【００３７】
情報生成部１０ｂは、受付けられた操作内容に基づき、液晶画面１８に表示するべき画像を示す画像情報を生成する（ステップＳ５）。例えば、操作内容が操作部画像２７，２８の操作（より特定的にはアイコンのタッチ操作）を示す場合には、対応の項目の値を、操作内容に基づき増減させた後の値を表すような項目画像２３、２４を含む画像情報を生成する。なお、操作部画像２７が操作された場合には、操作内容に従い棒グラフ２６の点灯するピクトグラムの個数も変更される。
【００３８】
生成された画像情報は表示用メモリ１８ａに格納される（ステップＳ７）。液晶コントローラ１３は、表示用メモリ１８ａに格納された画像情報に基づき液晶画面１８のドットマトリックスを駆動する（ステップＳ９）。これにより、液晶画面１８の表示画像を、操作内容に従う変更後の湯量または温度を示すような画像に変化させることができる。その後は、図３の処理に戻り、以降の処理が同様に繰返される。
【００３９】
なお、マイクロプロセッサ１０は、ユーザが入力操作部１２を介してＯＦＦ操作等をした場合には、図５の処理を強制的に終了する。
【００４０】
（表示画像の他の例）
視点１９から見た場合に、並びにおける各項目画像に対し対応の操作部画像が配置される側が、隣り合う項目画像どうしで異なるような画像は、図４の画像に限定されず、以下の変形例で示される画像であってもよい。
【００４１】
（第１の変形例）
図６は、本発明の実施の形態に係る表示画像の第１の変形例を示す図である。図６の画像では、図４とは異なり、操作部画像２７は視点１９から見て項目画像２３の右側に表示され、同様に、操作部画像２８は項目画像２４の左側に表示される。また、図６の画像では、棒グラフ２６が操作部画像２７の隣に表示される。図６の画像の他の表示は、図４と同様であるから説明は繰返さない。
【００４２】
図６でも、操作部画像２７の＋マークまたは−マークのアイコンの操作に連動して、隣の棒グラフ２６の点灯するピクトグラムの数を変化させて表示することができる。
【００４３】
（第２の変形例）
図７は、本発明の実施の形態に係る表示画像の第２の変形例を示す図である。図７の画像では、半身浴の湯量が表示される。図７は、図４の画像とは異なり、視点１９から見た場合に、半身浴の湯量を表す項目画像３５が、水平方向の並びにおいて、項目画像２３と項目画像２４の間に配置され、且つ視点１９から見た項目画像３５の下側に対応の操作部画像３４が表示される。操作部画像３４は、項目画像３５が示す湯量の値を変更（増減）するために操作されて、操作部画像２７と同様に、＋（プラス）マークのアイコンと−（マイナス）マークのアイコンとを含む。また、項目画像３５に関連付けて項目名を表す画像３５Ａが表示される。
【００４４】
図７の画面では、半身浴の湯量をインジケータ状に表示するための棒グラフ３６が、項目画像３５の隣に表示される。棒グラフ３６も、棒グラフ２６と同様に、操作部画像３４の＋マークまたは−マークのアイコンの操作に連動して点灯するピクトグラムの数を変化させることができる。なお、図７では、操作部画像３４は、視点１９から見た項目画像３５の下側に表示されるが、上側に表示されてもよい。
【００４５】
（第３の変形例）
図８は、本発明の実施の形態に係る表示画像の第３の変形例を示す図である。図８の画像では、図４の項目画像２３と２４が、水平方向ではなく垂直方向（Ｙ軸が延びる方向）に並べて表示される。図８では、ユーザの視点１９から見た湯量の項目画像２３の上側に操作部画像２７が配置され、また視点１９から見た項目画像２４の下側に操作部画像２８が配置されて表示される。なお、図８では、垂直方向の上側に項目画像２３を表示し、下側に項目画像２４を表示したが、その逆に、垂直方向の上側に項目画像２４を表示し、下側に項目画像２３を表示するとしてもよい。
【００４６】
（第４の変形例）
図９は、本発明の実施の形態に係る表示画像の第４の変形例を示す図である。図９の画像では、図８の画像とは異なり、視点１９から見た場合に、半身浴の湯の温度を表す項目画像３７を、垂直方向の並びにおいて、項目画像２３と項目画像２４の下側に配置し、且つ視点１９から見た項目画像３７の下側に当該半身浴の湯の温度の値を変更するために操作される操作部画像３９が配置される。また、項目画像３７に関連付けて項目名を表す画像３７Ａが表示される。図９では、項目画像２３と項目画像３７の間に配置された、項目画像２４に対応の操作部画像２８は、視点１９から見て当該項目画像２４の右側に表示される。なお、操作部画像２８は、視点１９から見て当該項目画像２４の左側に表示されてもよい。
【００４７】
操作部画像３９は、＋マークのアイコンと−マークのアイコンとを含み、これらは操作部画像２８と同様に異なる色で表示される。
【００４８】
このように、情報生成部１０ｂは、垂直方向に、項目画像２３、２４および３７を並べて配置し、且つ視点１９から見て項目画像２４の右側に操作部画像２８が配置されるように画像情報を生成する。
【００４９】
なお、本実施の形態では、項目画像により示される値は数値としたが、数値に限定されず、給湯装置の制御に関する値であれば、スピーカ（図示せず）の音量、液晶画面１８の輝度、予約タイマの時間等であってもよい。
【００５０】
（他の実施の形態）
上記の実施の形態では、液晶画面１８において項目画像が並ぶ方向を、水平方向または垂直方向にしているが、並びの方向は可変であってよい。例えば、入力操作部１２のユーザ操作に基づき、並びの方向が切替えられてもよい。
【００５１】
また、表示部１４の傾きを検出し、検出された傾きの値から、並びの方向を切替えるとしてもよい。つまり、表示部１４に地磁気センサ等の傾きセンサを内蔵し、傾きセンサからの出力に基づき、並びの方向が切替えられてもよい。
【００５２】
（比較例）
図１０は、比較例の表示画像を示す図である。図１０の画像では、視点１９から見た場合に、項目画像２３と２４の並びにおいて各項目画像に対し対応の操作部画像２７および３８が配置される側が同じ右側となっている。したがって、図１０の画像では、項目画像２４が示す温度値の左右どちら側にも操作部画像が表示されるから、項目画像２４により示される湯の温度を変更したいときに、ユーザは、どちら側の操作部画像を操作するべきかがわかりにくく、また誤操作する可能性もある。
【００５３】
これに対して、本実施の形態では、図４および図６〜図９に示したように、情報生成部１０ｂによる生成される画像情報に基づき、同一の液晶画面１８において、複数の項目画像２３、２４、３５および３７を一方向（水平方向または垂直方向）に並べて表示し、且つ視点１９から見た場合に、当該並びの各項目画像に対し対応の操作部画像２７、２８、３４および３９が配置される側が、隣り合う項目画像どうしで異なるような画像が表示される。したがって、図１０のように、項目画像の両側に操作部画像が表示されることはなく、図１０の課題を解消することができる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５５】
１  リモコン装置、２  給湯器、５  コントローラ、１０  マイクロプロセッサ、１０ａ  操作受付部、１０ｂ  情報生成部、１１  記憶部、１２  入力操作部、１３  液晶コントローラ、１４  表示部、１５  通信インターフェース、１７  タッチパネル、１８  液晶画面、１８ａ  表示用メモリ、１９  視点、２１，２２  アイコン、２３，２４，３５，３７  項目画像、２３Ａ，２４Ａ，３５Ａ，３７Ａ  画像、２５  浴槽マーク、２６，３６  棒グラフ、２７，２８，３４，３９  操作部画像。
【図１】
2016118872.tif 000003
【図２】
2016118872.tif 000004
【図３】
2016118872.tif 000005
【図４】
2016118872.tif 000006
【図５】
2016118872.tif 000007
【図６】
2016118872.tif 000008
【図７】
2016118872.tif 000009
【図８】
2016118872.tif 000010
【図９】
2016118872.tif 000011
【図１０】
2016118872.tif 000012